(57)【要約】  【課題】可視光線領域内の波長を発光する発光ダイオードを冷蔵庫等の庫内照明として使用する場合に、発光ダイオードの指向性により、冷蔵庫内の保存物の上下位置関係により保存物の視認性が低下するという課題がある。  【解決手段】複数個の砲弾型発光ダイオード１７とチップ型発光ダイオード１８が実装された実装基板１９を冷蔵庫庫内に設置された凹部２２にランプカバー２５が砲弾型発光ダイオード１７とチップ型発光ダイオード１８の発光部全体を覆うように冷蔵庫庫内左右壁面に照明装置１６として冷蔵室９の奥行寸法の１／２より手前に配設することにより、冷蔵庫庫内の保存物の上下位置関係による影の発生を抑制することが出来、かつ、直進性と拡散性を兼ね備えているので、保存物の視認性を向上することができる。【選択図】図２
2008070025.tif 000002
【特許請求の範囲】
【請求項１】
冷蔵庫内を照射する照明装置として、可視光線領域内の波長を発光する発光ダイオードの砲弾型とチップ型を同一基板上に複数個実装した実装基板を前記冷蔵庫内の側壁面の少なくとも一方に配設したことを特徴とする冷蔵庫。
【請求項２】
前記照明装置は、冷蔵庫内の側壁面に凹部を設け、前記実装基板を前記凹部内に配設したことを特徴とする請求項１に記載の冷蔵庫。
【請求項３】
前記実装基板を有した照明装置は、庫内奥行寸法の１／２より手前に配設されることを特徴とした請求項１または２に記載の冷蔵庫。
【請求項４】
冷蔵庫内の上下方向に複数の棚を有し、前記実装基板を有した照明装置は、前記棚の前端部よりも前方に位置することを特徴とした請求項１から３のいずれか一項に記載の冷蔵庫。
【請求項５】
前記照明装置の照明手段である発光ダイオードの照射方向は、庫内背面方向に向かって照射することを特徴とした請求項１から４のいずれか一項に記載の冷蔵庫。
【請求項６】
前記照明手段の発光ダイオードのうち、砲弾型は前記棚の上下方向の間に位置して、チップ型は棚と水平線上近傍の高さに配設されたことを特徴とする請求項１から５のいずれか一項に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図６は特許文献１に記載された従来の製氷機の照明装置の斜視図であり、図７は図６の照明装置を製氷機の庫内天面に設置した概念図を示すものである。
【０００５】
図６の照明装置１ａにおいて、実装基板１は平板状で、一面または両面に回路パターン（図示せず）が形成され、熱伝導性の良好なエポキシ樹脂系の基板や絶縁金属基板を使用する。白色ＬＥＤ２は砲弾状に形成され、ＧａＮ系の青色ＬＥＤからの青色光を用いて蛍光材を励起して白色光を得る構造で、電流を通電する２本の通電端子３が導出される。
【０００６】
断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、複数個が実装基板１に並設される。尚、発光ダイオード２の発熱量が少ない場合には、断熱板４は廃止しても構わない。
【０００７】
図７において、照明装置１ａは、製氷機６の庫内の天面７に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード２への通電は行なわず、庫内は照射されていない。扉が開けられると、機械式スイッチやホールＩＣ等の電子式スイッチで開扉状態と判断され、発光ダイオード２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、照明装置が冷蔵庫の庫内天井面に配置されると、冷蔵庫内に庫内を分割する収納棚がある場合、収納棚の下側の保存物の視認性は、収納棚そのものや収納棚上に置かれた保存物により影が発生することにより悪化する。これは、一般家庭用冷蔵庫のように、複数の収納棚を有する場合においては、収納棚が下段になるほど顕著となる。
【００１１】
本発明は、上記従来の課題を解決するもので、冷蔵庫内の保存物の上下位置関係に関わらず、保存物の視認性を向上させることを目的とした照明装置を有する冷蔵庫を提供することを目的とする。
【課題を解決するための手段】
【００１２】
上記従来の課題を解決するために、本発明の冷蔵庫は、可視光線領域内の波長を発光する発光ダイオードの砲弾型とチップ型を複数個実装した実装基板を冷蔵庫内の側壁面の少なくとも一方に配設したものである。
【００１３】
これにより、冷蔵庫内の保存物を側面から照射でき、かつ、直進性と拡散性を兼ね備えているので、保存物の上下位置による影の発生を抑制することができる。
【発明の効果】
【００１４】
本発明の冷蔵庫は、可視光線領域内の波長を発光する発光ダイオードの砲弾型とチップ型を複数個実装した実装基板を冷蔵庫内の側壁面の少なくとも一方に配設したので、保存物の上下位置による影の影響を受けず、かつ、直進性と拡散性を兼ね備えているので、庫内全体の保存物の視認性を向上することができる。
【発明を実施するための最良の形態】
【００１５】
請求項１に記載の発明は、冷蔵庫内を照射する照明装置として、可視光線領域内の波長を発光する砲弾型とチップ型の発光ダイオードを同一基板上に複数個実装した実装基板を前記冷蔵庫内の側壁面の少なくとも一方に配設されることにより、冷蔵庫内の保存物を側面から照射でき、かつ、直進性と拡散性を兼ね備えているので、保存物の上下位置による影の発生を抑制することができるので、庫内全体の保存物の視認性を向上することができる。
【００１６】
請求項２に記載の発明は、請求項１に記載の発明において、前記照明装置は、冷蔵庫内の側壁面に凹部を設け、前記実装基板を前記凹部内に配設されることにより、冷蔵庫内のスペースを確保できるとともに、冷蔵庫内の保存物をさらに側面から照射でき、かつ、直進性と拡散性を兼ね備えているので、保存物の視認性を向上することができる。
【００１７】
請求項３に記載の発明は、請求項１または２に記載の発明において、前記実装基板を有した照明装置は、庫内奥行寸法の１／２より手前に配設されることにより、庫内の保存物に対して前面から照射することができるので、保存物前面が陰にならず、視認性を更に向上することができる。
【００１８】
請求項４に記載の発明は、請求項１から３のいずれか一項に記載の発明において、冷蔵庫内の上下方向に複数の棚を有し、前記実装基板を有した照明装置は、前記棚の前端部よりも前方に位置することにより、各棚上の保存物に対して前面から照射することができるので、保存物前面が陰にならず、視認性を更に向上することができる。
【００１９】
請求項５に記載の発明は、請求項１から４のいずれか一項に記載の発明において、前記照明装置の照明手段である発光ダイオードの照射方向は、庫内背面方向に向かって照射することのより、照明装置を構成する発光ダイオードの指向特性を利用し、保存物の前面への照射の効果を向上することができる。
【００２０】
請求項６に記載の発明は、請求項１から５のいずれか一項に記載の発明において、前記照明手段の発光ダイオードのうち、砲弾型は前記棚の上下方向の間に位置して、チップ型は棚と水平線上近傍の高さに配設されることにより、保存物が棚の影にならず、保存物の視認性を更に向上することができる。
【００２１】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２２】
（実施の形態１）
以下、本発明の実施の形態１を図１から図５に基づいて説明する。図１は本発明の実施の形態１における冷蔵庫の扉を開けた状態の正面図、図２は同実施の形態における図１のＢ−Ｂ線断面図、図３は同実施の形態における照明装置の要部縦断面図、図４は同実施の形態１における砲弾型発光ダイオードの指向特性図、図５は同実施の形態１における照明装置の要部平面断面図である。
【００２３】
図１、図２において、断熱材で周囲と断熱して構成されている冷蔵庫本体８は、複数の区画に区分されて貯蔵室を形成しており、最上部は、冷蔵室９であり、その直下に製氷室１０と第１の冷凍室１１を横並びで配置され、つづいて野菜室１２が配置され、最下段には第２の冷凍室１３が配置される構成となっている。
【００２４】
冷蔵室９は、保存物を重ならず整理して保存するための複数の収納棚１４を設け、一部上下に可動できるよう構成されている。最下段には、特定低温室１５が設けられている。
【００２５】
照明装置１６は、冷蔵庫庫内の扉開放側前面から見て、冷蔵室９の奥行寸法の１／２より手前（収納棚１４の先端より手前）の左側壁面と右側壁面にそれぞれ縦方向に配設されている。
【００２６】
照明装置１６には砲弾型発光ダイオード１７とチップ型発光ダイオード１８が複数個配設されており、砲弾型発光ダイオード１７は収納棚１４の間隔内に、チップ型発光ダイオード１８は収納棚１４とほぼ同じ高さに配設されている。
【００２７】
図３において、照明装置１６について詳細に説明する。
【００２８】
実装基板１９は平板状で、一面または両面に回路パターン（図示せず）が形成され、熱伝導性の良好なエポキシ樹脂系の基板や絶縁金属基板を使用される。砲弾型発光ダイオード１７とチップ型発光ダイオード１８はＧａＮ系の青色ＬＥＤからの青色光を用いて蛍光材を励起して白色光を得る構造になっている。砲弾型発光ダイオード１７は電流を通電する２本の通電端子３が導出されており、砲弾型発光ダイオード１７は通電端子３が、チップ型発光ダイオード１８は直接、実装基板１９の回路パターンに半田付けされて実装され、縦方向に複数個が実装基板１９に並設される。
【００２９】
次に縦方向に複数個の発光ダイオードが実装された実装基板１９は、冷蔵庫内壁２１内に設けられた凹部２２に外枠２３と一体成型されたスペーサー２４によって保持されており、砲弾型発光ダイオード１７とチップ型発光ダイオード１８の発光部から一定の距離をおいて、ランプカバー２５が砲弾型発光ダイオード１７とチップ型発光ダイオード１８の発光部全体を覆うように冷蔵室内左右壁面に照明装置１６として配設されている。
【００３０】
図４は、砲弾型発光ダイオード１７の光の照射方向に関する指向性を示したグラフである。照射方向を垂直方向とすると照射される範囲は線内であり、たとえば照射量１／２では照射角は、Ｄの如く左右各３０°である。
【００３１】
図５において、白色ＬＥＤである砲弾型発光ダイオード１７とチップ型発光ダイオード１８を備えた実装基板１９は、冷蔵室９の冷蔵室内壁２１に対し、角度Ａをなしてスペーサー２４によって保持されており、この角度Ａは砲弾型発光ダイオード１７の指向性により、庫内を満遍なく照射できるように設定された任意の値であり、冷蔵庫庫内の容積と使用する発光ダイオードによって決められるが、最も光が届きにくい冷蔵室内の背面方向に配光されるように設定されている。この角度Ａとしては、３０°から６０°の間が望ましい。
【００３２】
以上のように構成された冷蔵庫について、以下その動作、作用を説明する。
【００３３】
まず、冷蔵庫の扉が閉まっている時には、砲弾型発光ダイオード１７とチップ型発光ダイオード１８への通電は行なわず、庫内は照射されていない。扉が開けられると、砲弾型発光ダイオード１７とチップ型発光ダイオード１８に順方向電流が流れて、白色光が発光される。ここまでは従来例と同様の動作である。
【００３４】
次に、砲弾型発光ダイオード１７とチップ型発光ダイオード１８から発光された白色光は、ランプカバー２５に進光して、庫内が照射される。冷蔵庫庫内左右壁面の奥行き寸法に対し前面側から、砲弾型発光ダイオード１７の指向性により設定された照射角度により、庫内背面方向に対して強調され保存物の前面及び側面に配光されることとなる。
【００３５】
また、チップ型発光ダイオード１８の拡散性により冷蔵庫内奥の保存物にまで配光することとなる。
【００３６】
以上のように、本実施の形態においては、砲弾型発光ダイオード１７を収納棚間に配設されているので、砲弾型発光ダイオード１７の指向性により、収納棚上の保存物に対して、集中的に配光されるので、保存物の前面を強調して照射することができる。
【００３７】
また、チップ型発光ダイオード１８を収納棚とほほ同じ高さに配設されているので、チップ型発光ダイオード１８の拡散性により、収納棚１４の影をつくることなく、冷蔵庫内奥の保存物にまで配光することができる。
【００３８】
また、照明装置からの白色光を冷蔵庫庫内左右壁面から庫内保存物に向かって照射するので、冷蔵庫庫内の保存物の上下位置関係による影の発生を抑制することが出来、保存物の視認性を向上することができる。
【００３９】
また、実装基板１９の長さを冷蔵庫庫内に対して縦方向に伸長することにより、一層効果を高めることができる。
【００４０】
また、ランプカバー２５に光拡散性を持つ材料を含有することにより、指向性のある砲弾型発光ダイオード１７の発光をランプカバー２５で拡散させて庫内を照射させるので、食品等の保存物に均一な白色光が当たり視覚的な照射ムラがなくせ、更に照明の演出性を高めることができる。
【００４１】
また、ランプカバー２５を、エポキシ、アクリル、ポリカーボネート、ポリエチレン、ポリスチレン、ポリプロピレンなどの透明樹脂のうち、一つの材料もしくは複合材料をベース材として形成することにより、ランプカバー２５を自由な形状に成型加工できるので、容易な取り付け設計が可能になり、庫内の最適な任意の位置に照明装置が設置できる。
【産業上の利用可能性】
【００４２】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００４３】
【図１】本発明の実施の形態１における冷蔵庫の扉を開けた状態の正面図
【図２】同実施の形態における図１のＢ−Ｂ線断面図
【図３】同実施の形態における照明装置の要部縦断面図
【図４】同実施の形態１における発光ダイオードの指向特性図
【図５】同実施の形態１における照明装置の要部平面断面図
【図６】従来の製氷機の照明装置の斜視図
【図７】図７の照明装置を製氷機の庫内天面に設置した概念図
【符号の説明】
【００４４】
８    冷蔵庫本体
９    冷蔵室
１４  収納棚
１６  照明装置
１７  砲弾型発光ダイオード
１８  チップ型発光ダイオード
１９  実装基板
２１  冷蔵庫内壁
２２  凹部
２５  ランプカバー
【図１】
2008070025.tif 000003
【図２】
2008070025.tif 000004
【図３】
2008070025.tif 000005
【図４】
2008070025.tif 000006
【図５】
2008070025.tif 000007
【図６】
2008070025.tif 000008
【図７】
2008070025.tif 000009